(57)【要約】【課題】停止時に像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体とその像担持体を具備する画像形成装置を提供する。【解決手段】無端ベルト状の基体１と、上記基体の表面に電子写真方法で形成されるトナー画像を担持する像担持面２と、上記像担持面に対する上記基体の裏面側に一体的に形成されて所定の形状を記憶する形状記憶部材３からなる。【選択図】　　　図１
2004045855.tif 000002
【特許請求の範囲】
【請求項１】
電子写真方法で形成されるトナー画像を担持する無端ベルト状の像担持体において、無端ベルト状の基体と、上記基体の表面に電子写真方法で形成されるトナー画像を担持する像担持面と、上記像担持面に対する上記基体の裏面側に一体的に形成されて所定の形状を記憶する形状記憶部材からなることを特徴とする像担持体。
【請求項２】
請求項１に記載の像担持体において、基体は、像担持面に対する上記基体の裏面側の幅方向端部に一体的に形成されて複数のローラに張架された際の寄りを規制する寄り止め部材を備えることを特徴とする像担持体。
【請求項３】
請求項２に記載の像担持体において、基体は、寄り止め部材と一体的に形成する際の補強又は下地となる補強部材を備えることを特徴とする像担持体。
【請求項４】
請求項１、２又は３に記載の像担持体において、形状記憶部材は、基体の像担持面に対する裏面の幅方向端部と寄り止め部材との間に形成したことを特徴とする像担持体。
【請求項５】
請求項１、２、３又は４に記載の像担持体において、形状記憶部材は、基体に形成された曲がり癖形状部を所定の温度で解消化又は解消することを特徴とする像担持体。
【請求項６】
請求項３、４又は５に記載の像担持体において、補強部材は、両面接着テープからなることを特徴とする像担持体。
【請求項７】
請求項項３、４又は５に記載の像担持体において、補強部材は、接着剤で基体と寄り止め部材を一体的に形成したことを特徴とする像担持体。
【請求項８】
請求項３、４、５、６又は７に記載の像担持体において、補強部材は、シート形状のポリエチレンテレフタレート材からなることを特徴とする像担持体。
【請求項９】
電子写真方法で形成されるトナー画像を被転写体に転写して画像を形成する画像形成装置において、上記請求項１乃至８の何れか一項に記載の像担持体と、上記像担持体を張架する複数個の張架ローラと、上記張架ローラに張架された上記像担持体の像担持面上にトナー画像を形成するトナー画像形成手段と、上記トナー画像形成手段で形成された上記像担持体の上記像担持面上に形成されたトナー画像を被転写体に転写する転写手段とからなることを特徴とする画像形成装置。
【請求項１０】
請求項９に記載の画像形成装置において、像担持体は、像担持面が感光体からなる無端ベルト状の感光体ベルトであることを特徴とする画像形成装置。
【請求項１１】
請求項９又は１０に記載の画像形成装置において、像担持体は、形成されたトナー画像を中間転写をする無端ベルト状の中間転写ベルトであることを特徴とする画像形成装置。
【請求項１２】
請求項９、１０又は１１に記載の画像形成装置において、張架ローラは、像担持体を回動駆動する駆動ローラであることを特徴とする画像形成装置。
【請求項１３】
請求項９、１０、１１又は１２に記載の画像形成装置において、張架ローラは、像担持体に従動する従動ローラであることを特徴とする画像形成装置。
【請求項１４】
請求項９、１０、１１、１２又は１３に記載の画像形成装置において、張架ローラは、像担持体を加圧する加圧ローラであることを特徴とする画像形成装置。
【請求項１５】
請求項９、１０、１１、１２、１３又は１４に記載の画像形成装置において、張架ローラは、内蔵された加熱体を備えることを特徴とする画像形成装置。
【請求項１６】
請求項９、１０、１１、１２、１３、１４又は１５に記載の画像形成装置において、張架ローラの駆動ローラは、内蔵された駆動ローラ加熱体を備えることを特徴とする画像形成装置。
【請求項１７】
請求項９、１０、１１、１２、１３、１４、１５又は１６に記載の画像形成装置において、張架ローラの従動ローラは、内蔵された従動ローラ加熱体を備えることを特徴とする画像形成装置。
【請求項１８】
請求項９、１０、１１、１２、１３、１４、１５、１６又は１７に記載の画像形成装置において、張架ローラの加圧ローラは、内蔵された加圧ローラ加熱体を備えることを特徴とする画像形成装置。
【請求項１９】
請求項９、１０、１１、１２、１３、１４、１５、１６、１７又は１８に記載の画像形成装置において、張架ローラは、内蔵された複数個の加熱体を備えることを特徴とする画像形成装置。
【請求項２０】
請求項１５乃至１９の何れか一項に記載の画像形成装置において、加熱体は、トナー画像形成手段の通電開始時又は像担持体の予備回動時に加熱することを特徴とする画像形成装置。
【請求項２１】
請求項９乃至２０の何れか一項に記載の画像形成装置において、トナー画像形成手段は、上記像担持体表面にカラーのトナー画像を形成することを特徴とする画像形成装置。
【発明の詳細な説明】
【０００１】
【発明の属する技術分野】
本発明は、像担持体とその像担持体を具備する画像形成装置に関し、詳しくは、電子写真方法で形成されるトナー画像を担持する無端ベルト状の像担持体と、その像担持体を具備する電子写真方法で形成されるトナー画像を被転写体に転写して画像を形成する複写機、プリンター、ファクシミリ装置あるいはこれらの複合機等の画像形成装置に関する。
【０００２】
【従来の技術】
従来の像担持体とその像担持体を具備する画像形成装置においては、像担持体であるドラム形状の感光体ドラム上、又は、無端ベルト形状のベルト状感光体上に形成して担持する現像されたトナー画像を、一旦、中間転写体である中間転写ベルトに写し取った後に、転写用紙に転写すると言うフルカラー複写機、プリンタ、ファクシミリ装置等の作像プロセスが多く採用されている。
複数のローラに掛け渡されたベルトを有し、そのベルトの片寄りを防止するための寄り止め部材を、そのベルトの端部の内側面に備えて、寄り止め部材の継ぎ目の部分をベルト面に対して傾斜させて、ローラ側のカラーとの接触の際のショックが抑えられ、波打ちが防止され、形成されるトナー画像への悪影響を回避するようにした無端ベルト状のベルト状感光体は公知である（特開平５−６１３９４号等の公報を参照）。
【０００３】
図５に示す従来の画像形成装置１１０において、フルカラー複写機、プリンタ、ファクシミリ装置等の画像形成については、像担持体１００であるドラム形状の図示の矢印（Ａ）方向に回動自在に保持された感光体ドラム１００ａの像担持面１０２にトナー画像形成手段１１２で現像されたトナー画像を、一旦、張架ローラ１１１の複数の各駆動ローラ１１１ａ、従動ローラ１１１ｂ、加圧ローラ１１１ｃに張架された中間転写体である無端ベルト状の像担持体１００である図示の矢印（Ｂ）方向に回動する中間転写ベルト１００ｂの像担持面１０２に、写し取った後に、転写手段１１３のバイアスローラ１１３ａによって図示の矢印（Ｃ）方向に給送される被転写体（Ｐ）の複写用紙に転写した後に、感光体ドラム１００ａの像担持面１０２を感光体クリーニング装置１１２ｄで、中間転写ベルト１００ｂの像担持面１０２を中間転写ベルトクリーニング装置１１４でクリーニングして次工程に備えると言う作像プロセスが多く採用されている。
感光体ドラム１００ａの像担持面１０２上を帯電ローラ１１２ａにより帯電した後、露光機構部１１２ｂより画像情報の露光を行い、現像装置１１２ｃのブラック現像器１１２ｃ１、シアン現像器１１２ｃ２、マゼンタ現像器１１２ｃ３、イエロー現像器１１２ｃ４により像担持体１００である感光体ドラム１００ａの像担持面１０２上の露光部にトナーの静電画像を形成する。
このトナーの静電画像を、張架ローラ１１１の複数の各駆動ローラ１１１ａ、従動ローラ１１１ｂ、加圧ローラ１１１ｃに張架されながら回動をし、感光体ドラム１００ａの像担持面１０２に圧接される、中間転写ベルト１００ｂの像担持面１０２が、電位差を利用してトナーを写し取った後に、転写手段１１３のバイアスローラ１１３ａによって被転写体（Ｐ）の複写用紙に転写する。
このような中間転写ベルト１００ｂでは、張架ローラ１１１の複数の各駆動ローラ１１１ａ、従動ローラ１１１ｂ、加圧ローラ１１１ｃにより張架しているため、複数の各駆動ローラ１１１ａ、従動ローラ１１１ｂ、加圧ローラ１１１ｃの公差のバラツキ、ねじれにより、中間転写ベルト１００ｂが張架ローラ１１１の複数の各駆動ローラ１１１ａ、従動ローラ１１１ｂ、加圧ローラ１１１ｃの軸方向に寄ってくると言う不具合が生じていた。
【０００４】
図６において、中間転写ベルト１００ｂの寄りを防止するために、中間転写ベルト１００ｂの基体１０１の内側の両端部にガイド部材１０４が接着剤１０５で形成されている。
このガイド部材１０４が、中間転写ベルト１００ｂの内部で張架をしている複数の各駆動ローラ１１１ａ、従動ローラ１１１ｂ、加圧ローラ１１１ｃの各両側端面に設けられた規制部材の側面によって規制されるようになり、複数の各駆動ローラ１１１ａ、従動ローラ１１１ｂ、加圧ローラ１１１ｃから、中間転写ベルト１００ｂの脱落を防止するようになっている。
図７において、然し、従来の画像形成装置１１０において、中間転写ベルト１００ｂを停止時に放置しておくと、画像形成時に中間転写ベルト１００ｂの予備回動を行っても、予備回動のみでは解消されない図示のような曲がり癖形状部１０６が生じ、転写時のトナー画像の転写抜けや中間転写ベルト１００ｂの回転むらによるトナー画像の乱れから起こる色ズレ等の異常画像が発生して、形成される画像品質が低下していた。
従って、従来の像担持体とその像担持体を具備する画像形成装置は、無端ベルト状の像担持体を停止時に放置しておくと、画像形成時に無端ベルト状の像担持体の予備回動を行っても、予備回動のみでは解消されない曲がり癖形状部が生じて、転写時のトナー画像の転写抜けや無端ベルト状の像担持体の回動むらによるトナー画像の乱れから起こる色ズレ等の異常画像が発生して、形成される画像品質が低下すると言う不具合が生じていた。
【０００５】
【発明が解決しようとする課題】
そこで本発明の課題は、このような問題点を解決するものである。即ち、停止時に像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体とその像担持体を具備する画像形成装置を提供することを目的とする。
【０００６】
【課題を解決するための手段】
上記目的を達成するために、請求項１の本発明は、電子写真方法で形成されるトナー画像を担持する無端ベルト状の像担持体において、無端ベルト状の基体と、上記基体の表面に電子写真方法で形成されるトナー画像を担持する像担持面と、上記像担持面に対する上記基体の裏面側に一体的に形成されて所定の形状を記憶する形状記憶部材からなる像担持体であることを最も主要な特徴とする。
請求項２の本発明は、請求項１に記載の像担持体において、基体は、像担持面に対する上記基体の裏面側の幅方向端部に一体的に形成されて複数のローラに張架された際の寄りを規制する寄り止め部材とからなる像担持体であることを主要な特徴とする。
請求項３の本発明は、請求項２に記載の像担持体において、基体は、寄り止め部材と一体的に形成する際の補強又は下地となる補強部材とからなる像担持体であることを主要な特徴とする。
請求項４の本発明は、請求項１、２又は３に記載の像担持体において、形状記憶部材は、基体の像担持面に対する裏面の幅方向端部と寄り止め部材との間に形成した像担持体であることを主要な特徴とする。
請求項５の本発明は、請求項１、２、３又は４に記載の像担持体において、形状記憶部材は、基体に形成された曲がり癖形状部を所定の温度で解消化又は解消する像担持体であることを主要な特徴とする。
請求項６の本発明は、請求項３、４又は５に記載の像担持体において、補強部材は、両面接着テープからなる像担持体であることを主要な特徴とする。
請求項７の本発明は、請求項項３、４又は５に記載の像担持体において、補強部材は、接着剤で基体と寄り止め部材を一体的に形成した像担持体であることを主要な特徴とする。
請求項８の本発明は、請求項３、４、５、６又は７に記載の像担持体において、補強部材は、シート形状のポリエチレンテレフタレート材からなる像担持体であることを主要な特徴とする。
請求項９の本発明は、電子写真方法で形成されるトナー画像を被転写体に転写して画像を形成する画像形成装置において、上記請求項１乃至８の何れか一項に記載の像担持体と、上記像担持体を張架する複数個の張架ローラと、上記張架ローラに張架された上記像担持体の像担持面上にトナー画像を形成するトナー画像形成手段と、上記トナー画像形成手段で形成された上記像担持体の上記像担持面上に形成されたトナー画像を被転写体に転写する転写手段とからなる画像形成装置であることを最も主要な特徴とする。
請求項１０の本発明は、請求項９に記載の画像形成装置において、像担持体は、像担持面が感光体からなる無端ベルト状の感光体ベルトである画像形成装置であることを主要な特徴とする。
【０００７】
請求項１１の本発明は、請求項９又は１０に記載の画像形成装置において、像担持体は、形成されたトナー画像を中間転写をする無端ベルト状の中間転写ベルトである画像形成装置であることを主要な特徴とする。
請求項１２の本発明は、請求項９、１０又は１１に記載の画像形成装置において、張架ローラは、像担持体を回動駆動する駆動ローラである画像形成装置であることを主要な特徴とする。
請求項１３の本発明は、請求項９、１０、１１又は１２に記載の画像形成装置において、張架ローラは、像担持体に従動する従動ローラである画像形成装置であることを主要な特徴とする。
請求項１４の本発明は、請求項９、１０、１１、１２又は１３に記載の画像形成装置において、張架ローラは、像担持体を加圧する加圧ローラである画像形成装置であることを主要な特徴とする。
請求項１５の本発明は、請求項９、１０、１１、１２、１３又は１４に記載の画像形成装置において、張架ローラは、内蔵された加熱体からなる画像形成装置であることを主要な特徴とする。
請求項１６の本発明は、請求項９、１０、１１、１２、１３、１４又は１５に記載の画像形成装置において、張架ローラの駆動ローラは、内蔵された駆動ローラ加熱体からなる画像形成装置であることを主要な特徴とする。
請求項１７の本発明は、請求項９、１０、１１、１２、１３、１４、１５又は１６に記載の画像形成装置において、張架ローラの従動ローラは、内蔵された従動ローラ加熱体からなる画像形成装置であることを主要な特徴とする。
請求項１８の本発明は、請求項９、１０、１１、１２、１３、１４、１５、１６又は１７に記載の画像形成装置において、張架ローラの加圧ローラは、内蔵された加圧ローラ加熱体からなる画像形成装置であることを主要な特徴とする。
請求項１９の本発明は、請求項９、１０、１１、１２、１３、１４、１５、１６、１７又は１８に記載の画像形成装置において、張架ローラは、内蔵された複数個の加熱体からなる画像形成装置であることを主要な特徴とする。
請求項２０の本発明は、請求項１５乃至１９の何れか一項に記載の画像形成装置において、加熱体は、トナー画像形成手段の通電開始時又は像担持体の予備回動時に加熱する画像形成装置であることを主要な特徴とする。
請求項２１の本発明は、請求項９乃至２０の何れか一項に記載の画像形成装置において、トナー画像形成手段は、上記像担持体表面にカラーのトナー画像を形成する画像形成装置であることを主要な特徴とする。
【０００８】
【作用】
上記のように構成された像担持体とその像担持体を具備する画像形成装置は、請求項１においては、無端ベルト状の基体の表面に電子写真方法で形成されるトナー画像を担持する像担持面に対する基体の裏面側に、所定の形状を記憶する形状記憶部材を一体的に形成する。
請求項２においては、無端ベルト状の基体の表面に電子写真方法で形成されるトナー画像を担持する像担持面に対する基体の裏面側に、所定の形状を記憶する形状記憶部材を一体的に形成すると共に基体は像担持面に対する基体の裏面側の幅方向端部に一体的に形成されて複数のローラに張架された際の寄りを規制する寄り止め部材とからなる。
請求項３においては、無端ベルト状の基体の表面に電子写真方法で形成されるトナー画像を担持する像担持面に対する基体の裏面側に、所定の形状を記憶する形状記憶部材を一体的に形成すると共に基体は像担持面に対する基体の裏面側の幅方向端部に一体的に形成されて複数のローラに張架された際の寄りを規制する寄り止め部材と、基体は寄り止め部材と一体的に形成する際の補強又は下地となる補強部材とからなる。
請求項４においては、無端ベルト状の基体の表面に電子写真方法で形成されるトナー画像を担持する像担持面に対する基体の裏面側に、所定の形状を記憶する形状記憶部材を、基体の像担持面に対する裏面の幅方向端部と寄り止め部材との間に一体的に形成する。
請求項５においては、無端ベルト状の基体の表面に電子写真方法で形成されるトナー画像を担持する像担持面に対する基体の裏面側に、所定の形状を記憶する形状記憶部材を一体的に形成して、基体に形成された曲がり癖形状部を所定の温度で解消化又は解消する。
請求項６においては、無端ベルト状の基体の表面に電子写真方法で形成されるトナー画像を担持する像担持面に対する基体の裏面側に、所定の形状を記憶する形状記憶部材を一体的に形成すると共に基体は像担持面に対する基体の裏面側の幅方向端部に一体的に形成されて複数のローラに張架された際の寄りを規制する寄り止め部材と、基体は寄り止め部材と一体的に形成する際の補強又は下地となる両面接着テープからなる補強部材とからなる。
【０００９】
請求項７においては、無端ベルト状の基体の表面に電子写真方法で形成されるトナー画像を担持する像担持面に対する基体の裏面側に、所定の形状を記憶する形状記憶部材を一体的に形成すると共に基体は像担持面に対する基体の裏面側の幅方向端部に一体的に形成されて複数のローラに張架された際の寄りを規制する寄り止め部材と、基体は寄り止め部材と一体的に形成する際の補強又は下地となる接着剤で基体と寄り止め部材を一体的に形成した補強部材とからなる。
請求項８においては、無端ベルト状の基体の表面に電子写真方法で形成されるトナー画像を担持する像担持面に対する基体の裏面側に、所定の形状を記憶する形状記憶部材を一体的に形成すると共に基体は像担持面に対する基体の裏面側の幅方向端部に一体的に形成されて複数のローラに張架された際の寄りを規制する寄り止め部材と、基体は寄り止め部材と一体的に形成する際の補強又は下地となるシート形状のポリエチレンテレフタレート材の補強部材とからなる。
請求項９においては、複数個の張架ローラに張架された上記請求項１乃至８の何れか一項に記載の像担持体の像担持面上にトナー画像形成手段で形成されたトナー画像を被転写体に転写手段で転写する。
請求項１０においては、複数個の張架ローラに張架された上記請求項１乃至８の何れか一項に記載の像担持体である感光体ベルトの像担持面上にトナー画像形成手段で形成されたトナー画像を被転写体に転写手段で転写する。
請求項１１においては、複数個の張架ローラに張架された上記請求項１乃至８の何れか一項に記載の像担持体である中間転写ベルトの像担持面上にトナー画像形成手段で形成されたトナー画像を被転写体に転写手段で転写する。
【００１０】
請求項１２においては、複数個の張架ローラの駆動ローラに張架された上記請求項１乃至８の何れか一項に記載の像担持体の像担持面上にトナー画像形成手段で形成されたトナー画像を被転写体に転写手段で転写する。
請求項１３においては、複数個の張架ローラの従動ローラに張架された上記請求項１乃至８の何れか一項に記載の像担持体の像担持面上にトナー画像形成手段で形成されたトナー画像を被転写体に転写手段で転写する。
請求項１４においては、複数個の張架ローラの加圧ローラに張架された上記請求項１乃至８の何れか一項に記載の像担持体の像担持面上にトナー画像形成手段で形成されたトナー画像を被転写体に転写手段で転写する。
請求項１５においては、加熱体を内蔵した複数個の張架ローラに張架された上記請求項１乃至８の何れか一項に記載の像担持体の像担持面上にトナー画像形成手段で形成されたトナー画像を被転写体に転写手段で転写する。
請求項１６においては、複数個の張架ローラの駆動ローラ加熱体が内蔵された駆動ローラに張架された上記請求項１乃至８の何れか一項に記載の像担持体の像担持面上にトナー画像形成手段で形成されたトナー画像を被転写体に転写手段で転写する。
請求項１７においては、複数個の張架ローラの従動ローラ加熱体が内蔵された従動ローラに張架された上記請求項１乃至８の何れか一項に記載の像担持体の像担持面上にトナー画像形成手段で形成されたトナー画像を被転写体に転写手段で転写する。
請求項１８においては、複数個の張架ローラの加圧ローラ加熱体が内蔵された加圧ローラに張架された上記請求項１乃至８の何れか一項に記載の像担持体の像担持面上にトナー画像形成手段で形成されたトナー画像を被転写体に転写手段で転写する。
請求項１９においては、複数個の張架ローラに張架された上記請求項１乃至８の何れか一項に記載の像担持体の像担持面上にトナー画像形成手段で形成されたトナー画像を被転写体に転写手段で転写すると共に張架ローラは加熱体を複数個を内蔵する。
請求項２０においては、トナー画像形成手段の通電開始時又は像担持体の予備回動時に加熱する加熱体を内蔵した複数個の張架ローラに張架された上記請求項１乃至８の何れか一項に記載の像担持体の像担持面上にトナー画像形成手段で形成されたトナー画像を被転写体に転写手段で転写する。
請求項２１においては、複数個の張架ローラに張架された上記請求項１乃至８の何れか一項に記載の像担持体の像担持面上にトナー画像形成手段で形成されたカラーのトナー画像を被転写体に転写手段で転写する。
【００１１】
【発明の実施の形態】
次に、本発明の実施の形態を図面を参照して詳細に説明する。
図１は本発明の一実施形態に係る像担持体の構成図、図２はその要部構成を示す断面図であり、電子写真方法で形成されるトナー画像を担持する無端ベルト状の像担持体０の感光体ベルト０ａ、又は、中間転写ベルト０ｂは、無端ベルト状の基体１と、基体１の表面に電子写真方法で形成されるトナー画像を担持する像担持面２と、上記像担持面２に対する基体１の裏面側に一体的に形成されて所定の形状を記憶する形状記憶部材３からなり、停止時に感光体ベルト０ａ、又は、中間転写ベルト０ｂに形成される曲がり癖形状部６を簡単な構造で容易に短時間で解消化又は解消する矯正をして、曲がり癖形状部によるトナー画像の転写抜けや感光体ベルト０ａ、又は、中間転写ベルト０ｂの回動むらによるトナー画像の乱れや転写不良等の異常画像の発生を防止して高品質の画像が形成される。
感光体ベルト０ａ、又は、中間転写ベルト０ｂは、図示しない画像形成装置１０における張架ローラ１１の各駆動ローラ１１ａ、従動ローラ１１ｂ、加圧ローラ１１ｃ等により張架されて回動する。
感光体ベルト０ａ、又は、中間転写ベルト０ｂは、基体１の像担持面２に対する基体１の裏面側の幅方向端部に一体的に形成されて複数の各駆動ローラ１１ａ、従動ローラ１１ｂ、加圧ローラ１１ｃ等に張架された際の寄りを規制する寄り止め部材４と一体的に形成する際の補強又は下地となる補強部材５の間に、基体１に形成された曲がり癖形状部６を所定の温度で簡単に解消化又は解消して矯正する上記形状記憶部材３を形成して、接着剤５ｂで一体的に確実に容易に接着されているから、簡単な構造で剥がれやずれの発生を確実に防止して耐久性に優れ低コストである。
上記補強部材５は、シート形状のポリエチレンテレフタレート材であるから耐熱性に優れ、両面が粘着層からなる両面接着テープ５ａにすれば、更に、容易に接着して形成され低コストでる。
【００１２】
感光体ベルト０ａ、又は、中間転写ベルト０ｂの基体１は、上記像担持面２に対する基体１の裏面側の幅方向の端部に、シート形状のポリエチレンテレフタレート材である耐熱性に優れた素材で構成され、両面が粘着層からなる両面接着テープ５ａで上記補強部材５を接着し、上記補強部材５を上記寄り止め部材４を基体１に接着する際の補強及び下地とする。
その際、ウレタン製などによる上記寄り止め部材４の接着を行う前に、シート上の形状記憶部材３を接着し、形状記憶部材３を挟み込むように上記寄り止め部材４を上から接着し、寄り止めを防止する寄り止め部材４の一部が、形状記憶部材３を含む構成になるようにする。
従って、所定の温度に対応する形状を記憶した上記形状記憶部材３からなる長尺のシート材を上記寄り止め部材４の一部として組み込み、各ローラ１１ａ、１１ｂ、１１ｃ等の両側端面内側に内蔵された図示しない加熱体１１ｄにより、上記形状記憶部材３の形状を上記曲がり癖形状部６が所定の温度で、更に、容易に解消化又は解消する矯正が、低コストで画像形成部に悪影響を与えること無く行なわれる。
【００１３】
図３において、電子写真方法で形成されるトナー画像を被転写体に転写して画像を形成する上記画像形成装置１０は、上記像担持体０と、上記像担持体０を張架する複数個の上記張架ローラ１１と、上記張架ローラ１１に張架された上記像担持体０の上記像担持面２上にトナー画像を形成するトナー画像形成手段１２と、上記トナー画像形成手段１２で形成された上記像担持体０の上記像担持面２上に形成されたトナー画像を被転写体（Ｐ）の転写用紙に転写する転写手段１３とからなり、停止時に上記像担持体０に形成される上記曲がり癖形状部６を簡単な構造で容易に短時間で解消化、又は、解消する矯正をして、上記曲がり癖形状部６によるトナー画像の転写抜けや上記像担持体０の回動むらによるトナー画像の乱れや転写不良等の異常画像の発生を防止して高品質の画像が形成される。
上記画像形成装置１０のプリンタは、上記張架ローラ１１の各感光体ベルト駆動ローラ１１ａ１、感光体ベルト従動ローラ１１ｂ１、感光体ベルト加圧ローラ１１ｃ１、中間転写ベルト駆動ローラ１１ａ２、中間転写ベルト従動ローラ１１ｂ２１、中間転写ベルト従動ローラ１１ｂ２２、中間転写ベルト加圧ローラ１１ｃ２等に張架された潜像担持体としての上記感光体ベルト０ａ、又は、中間転写体としての上記中間転写ベルト０ｂを備えている。
潜像担持体としての表面には有機感光層が形成されている上記感光体ベルト０ａは、図示の矢印（Ｄ）方向の時計方向に回動駆動され、その周りには、トナー画像形成手段１２としての帯電器１２ａ、光書き込みユニット１２ｂ、現像装置１２ｃの４組のブラック現像器１２ｃ１、シアン現像器１２ｃ２、マゼンタ現像器１２ｃ３、イエロー現像器１２ｃ４、中間転写体としての図示の矢印（Ｅ）方向に回動する上記中間転写ベルト０ｂ、感光体クリーニング装置１２ｄ等が配置されている。
上記画像形成装置１０のプリンタによる画像形成動作のプリント動作を実行する際には、上記帯電器１２ａに高電圧が印加されることにより、上記感光体ベルト０ａが一様に帯電される。
そして、図示しない画像信号処理部では、カラー画像情報、例えば、外部のコンピュータから送られてきたカラー画像信号が光書き込み信号に変換されて、上記光書き込みユニット１２ｂに送られる。
【００１４】
上記光書き込みユニット１２ｂでは、上記光書き込み信号に基づいて、光源としてのレーザが制御され、ポリゴンミラー、ｆ／θレンズ、及び、反射ミラーを介して、ブラック（Ｂｌａｃｋ）、シアン（Ｃｙａｎ）、マゼンタ（Ｍａｇｅｎｔａ）、イエロー（Ｙｅｌｌｏｗ）の画像信号に対応した光書き込みが行われ、上記感光体ベルト０ａ上に静電潜像が形成される。
上記感光体ベルト０ａ上の静電潜像は、各色トナーをそれぞれ有する上記現像装置１２ｃの各上記ブラック現像器１２ｃ１、上記シアン現像器１２ｃ２、上記マゼンタ現像器１２ｃ３、上記イエロー現像器１２ｃ４によって各色ごとに現像される。これにより、上記感光体ベルト０ａ上には、各色ごとにトナー画像が形成される。
上記感光体ベルト０ａ上と上記中間転写ベルト０ｂとの接触部においては、上記中間転写ベルト０ｂに上記転写手段１３の上記バイアスローラ１３ａによりトナーと逆極性の電荷を印加することにより、上記感光体ベルト０ａ上のトナー画像が上記中間転写ベルト０ｂ上に転写される。
このトナー画像の形成、及び、転写動作を４回繰り返すことにより、上記中間転写ベルト０ｂ上に４色重ねのカラートナー画像が形成される。
上記中間転写ベルト０ｂ上のカラーのトナー画像は、給紙カセット１５から給紙ローラ１６、搬送ローラ対１７、搬送ローラ対１８によって搬送されてきた被転写体（Ｐ）の転写用紙に、上記転写手段１３の２次転写手段としての２次バイアスローラ１３ｂによって２次転写される。
カラーのトナー画像が転写された被転写体（Ｐ）の転写用紙は、定着器１９に搬送され、該トナー画像が溶融定着されて、排紙部２０に排紙されて収納されるようになっている。
上記中間転写ベルト０ｂ上は、上記中間転写ベルト駆動ローラ１１ａ２、上記中間転写ベルト従動ローラ１１ｂ２１、上記中間転写ベルト従動ローラ１１ａ２２、上記中間転写ベルト加圧ローラ１１ｃ２に張架されて図示の矢印（Ｅ）方向に回動する。
【００１５】
図４において、上記寄り止め部材４を固定された感光体ベルト０ａ、又は、中間転写ベルト０ｂの基体１は、上記寄り止め部材４を張架させるための上記張架ローラ１１の上記感光体ベルト駆動ローラ１１ａ１、上記感光体ベルト従動ローラ１１ｂ１、上記感光体ベルト加圧ローラ１１ｃ１、上記中間転写ベルト駆動ローラ１１ａ２、上記中間転写ベルト従動ローラ１１ｂ２１、上記中間転写ベルト従動ローラ１１ｂ２２、上記中間転写ベルト加圧ローラ１１ｃ２等の両端の側面に配置された複数の各規制部材１１ｅに引っ掛けるように固定する。
感光体ベルト０ａ、又は、中間転写ベルト０ｂの基体１、及び、上記寄り止め部材４は複数の各上記規制部材１１ｅ側面によって寄りを規制される。
上記張架ローラ１１の上記感光体ベルト駆動ローラ１１ａ１、上記感光体ベルト従動ローラ１１ｂ１、上記感光体ベルト加圧ローラ１１ｃ１、上記中間転写ベルト駆動ローラ１１ａ２、上記中間転写ベルト従動ローラ１１ｂ２１、上記中間転写ベルト従動ローラ１１ｂ２２、上記中間転写ベルト加圧ローラ１１ｃ２等の両端部芯金内には、上記加熱体１１ｄの駆動ローラ加熱体１１ｄ１の感光体駆動ローラ加熱体１１ｄ１１、中間転写体駆動ローラ加熱体１１ｄ１２、従動ローラ加熱体１１ｄ２の感光体従動ローラ加熱体１１ｄ２１、中間転写体従動ローラ加熱体１１ｄ２２、加圧ローラ加熱体１１ｄ３の感光体加圧ローラ加熱体１１ｄ３１、中間転写体加圧ローラ加熱体１１ｄ３２を１個、又は、両端に複数個を組み込んで内蔵されているから複数の曲がり癖形状部を効率良く加熱される。
上記加熱体１１ｄの上記駆動ローラ加熱体１１ｄ１の上記感光体駆動ローラ加熱体１１ｄ１１、上記中間転写体駆動ローラ加熱体１１ｄ１２、上記従動ローラ加熱体１１ｄ２の上記感光体従動ローラ加熱体１１ｄ２１、上記中間転写体従動ローラ加熱体１１ｄ２２、上記加圧ローラ加熱体１１ｄ３の上記感光体加圧ローラ加熱体１１ｄ３１、上記中間転写体加圧ローラ加熱体１１ｄ３２は、上記トナー画像形成手段１２の通電開始時、又は、感光体ベルト０ａ、又は、中間転写ベルト０ｂの予備回動等のウォームアップ時に、例えば、図示しない制御手段で通電して発熱する。
その際、感光体ベルト０ａ、又は、中間転写ベルト０ｂの上記寄り止め部材４に熱が伝達するような位置関係を保つようになっている。
【００１６】
上記加熱体１１ｄの上記駆動ローラ加熱体１１ｄ１の上記感光体駆動ローラ加熱体１１ｄ１１、上記中間転写体駆動ローラ加熱体１１ｄ１２、上記従動ローラ加熱体１１ｄ２の上記感光体従動ローラ加熱体１１ｄ２１、上記中間転写体従動ローラ加熱体１１ｄ２２、上記加圧ローラ加熱体１１ｄ３の上記感光体加圧ローラ加熱体１１ｄ３１、上記中間転写体加圧ローラ加熱体１１ｄ３２の温度上昇に伴い、感光体ベルト０ａ、又は、中間転写ベルト０ｂの上記寄り止め部材４の一部としての構成部材でもある上記形状記憶部材３が、規定の温度に達した際に、感光体ベルト０ａ、又は、中間転写ベルト０ｂが元のシート状の正常な形状へ復元しようとするため、上記張架ローラ１１の上記感光体ベルト駆動ローラ１１ａ１、上記感光体ベルト従動ローラ１１ｂ１、上記感光体ベルト加圧ローラ１１ｃ１、上記中間転写ベルト駆動ローラ１１ａ２、上記中間転写ベルト従動ローラ１１ｂ２１、上記中間転写ベルト従動ローラ１１ｂ２２、上記中間転写ベルト加圧ローラ１１ｃ２等の長期間の停止時の張架により形成された上記曲がり癖形状部６は、簡単な構造で容易に短時間で解消化、又は、解消する矯正が、上記トナー画像形成手段１２の通電開始時、又は、感光体ベルト０ａ、又は、中間転写ベルト０ｂの予備回動等のウォームアップ時に確実に行なわれる。
上記加熱体１１の上記駆動ローラ加熱体１１ｄ１の上記感光体駆動ローラ加熱体１１ｄ１１、上記中間転写体駆動ローラ加熱体１１ｄ１２、上記従動ローラ加熱体１１ｄ２の上記感光体従動ローラ加熱体１１ｄ２１、上記中間転写体従動ローラ加熱体１１ｄ２２、上記加圧ローラ加熱体１１ｄ３の上記感光体加圧ローラ加熱体１１ｄ３１、上記中間転写体加圧ローラ加熱体１１ｄ３２の搭載は、図３において一番鋭角的な上記曲がり癖形状部６を発生させる位置にある上記張架ローラ１１の上記感光体ベルト駆動ローラ１１ａ１等に搭載することが望ましいが、より早く、上記曲がり癖形状部６を除去するには、他の上記感光体ベルト従動ローラ１１ｂ１、上記感光体ベルト加圧ローラ１１ｃ１、上記中間転写ベルト駆動ローラ１１ａ２、上記中間転写ベルト従動ローラ１１ｂ２１、上記中間転写ベルト従動ローラ１１ｂ２２、上記中間転写ベルト加圧ローラ１１ｃ２等にも搭載し、同時に、上記張架ローラ１１の複数個を加熱することで、更に、効率よく上記曲がり癖形状部６を簡単な構造で容易に短時間で解消化、又は、解消する矯正を行なうことが出来る。
従って、停止時に上記像担持体０に形成される上記曲がり癖形状部６を簡単な構造で容易に短時間で効率良く解消化、又は、解消する矯正が行なわれて、上記曲がり癖形状部６によるトナー画像の転写抜けや上記像担持体０の回動むらによるトナー画像の乱れや転写不良等の異常画像の発生を防止して高品質のカラーの画像も形成する上記像担持体０を具備する上記画像形成装置１０を提供することが出来るようになった。
【００１７】
【発明の効果】
本発明は、以上説明したように構成されているので、請求項１の発明によれば、停止時に像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体を提供することが出来るようになった。
請求項２の発明によれば、複数のローラに張架された際の寄りが規制され、停止時に像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体を提供することが出来るようになった。
請求項３の発明によれば、複数のローラに張架された際の寄りが規制され、停止時に像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する耐久性に優た像担持体を提供することが出来るようになった。
請求項４の発明によれば、停止時に像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して更に高品質の画像を形成する低コストの像担持体を提供することが出来るようになった。
請求項５の発明によれば、停止時に像担持体に形成される曲がり癖形状部を簡単な構造で更に容易に短時間で矯正して、曲がり癖形状部によるトナー画像の転写抜けや像担持体の回動むらによるトナー画像の乱れや転写不良等の異常画像の発生を防止して高品質の画像を形成する像担持体を提供することが出来るようになった。
請求項６の発明によれば、複数のローラに張架された際の寄りが規制され、停止時に像担持体に形成される曲がり癖形状部を簡単な構造で更に容易に短時間で矯正して、曲がり癖形状部によるトナー画像の転写抜けや像担持体の回動むらによるトナー画像の乱れや転写不良等の異常画像の発生を防止して高品質の画像を形成する耐久性に優れ低コストの像担持体を提供することが出来るようになった。
【００１８】
請求項７の発明によれば、停止時に像担持体に形成される曲がり癖形状部を簡単な構造で剥がれやずれの発生を確実に防止して容易に短時間で矯正して、曲がり癖形状部によるトナー画像の転写抜けや像担持体の回動むらによるトナー画像の乱れや転写不良等の異常画像の発生を防止して高品質の画像を形成する更に耐久性に優れ低コストの像担持体を提供することが出来るようになった。
請求項８の発明によれば、複数のローラに張架された際の寄りが規制され、停止時に像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する更に耐久性に優た像担持体を提供することが出来るようになった。
請求項９の発明によれば、停止時に張架ローラで像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項１０の発明によれば、停止時に張架ローラで像担持体の感光体ベルトに形成される曲がり癖形状部を簡単な構造で容易に短時間で矯正して、曲がり癖形状部によるトナー画像の転写抜けや像担持体の感光体ベルトの回動むらによるトナー画像の乱れや転写不良等の異常画像の発生を防止して高品質の画像を形成する像担持体の感光体ベルトを具備する画像形成装置を提供することが出来るようになった。
請求項１１の発明によれば、停止時に張架ローラで像担持体の中間転写ベルトに形成される曲がり癖形状部を簡単な構造で容易に短時間で矯正して、曲がり癖形状部によるトナー画像の転写抜けや像担持体の中間転写ベルトの回動むらによるトナー画像の乱れや転写不良等の異常画像の発生を防止して高品質の画像を形成する像担持体の中間転写ベルトを具備する画像形成装置を提供することが出来るようになった。
【００１９】
請求項１２の発明によれば、停止時に張架ローラの駆動ローラで像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項１３の発明によれば、停止時に張架ローラの従動ローラで像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項１４の発明によれば、停止時に張架ローラの加圧ローラで像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項１５の発明によれば、停止時に張架ローラで像担持体に形成される曲がり癖形状部を張架ローラの加熱による簡単な構造で容易に短時間で効率良く加熱されて矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項１６の発明によれば、停止時に張架ローラで像担持体に形成される曲がり癖形状部を張架ローラの駆動ローラの加熱による簡単な構造で容易に短時間で効率良く加熱されて矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
【００２０】
請求項１７の発明によれば、停止時に張架ローラで像担持体に形成される曲がり癖形状部を張架ローラの従動ローラの加熱による簡単な構造で容易に短時間で効率良く加熱されて矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項１８の発明によれば、停止時に張架ローラで像担持体に形成される曲がり癖形状部を張架ローラの加圧ローラの加熱による簡単な構造で容易に短時間で効率良く加熱されて矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項１９の発明によれば、停止時に張架ローラで像担持体に形成される曲がり癖形状部を張架ローラの加熱による簡単な構造で容易に更に短時間で効率良く加熱されて矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項２０の発明によれば、停止時に張架ローラで像担持体に形成される曲がり癖形状部を張架ローラの加熱による簡単な構造で容易に短時間で効率良く加熱されて確実に矯正して、曲がり癖形状部によるトナー画像の転写抜けや像担持体の回動むらによるトナー画像の乱れや転写不良等の異常画像の発生を防止して高品質の画像を形成する像担持体を具備する画像形成装置を提供することが出来るようになった。
請求項２１の発明によれば、停止時に張架ローラで像担持体に形成される曲がり癖形状部を簡単な構造で容易に短時間で矯正して、曲がり癖形状部によるトナー画像の転写抜けや像担持体の回動むらによるトナー画像の乱れや転写不良等の異常画像の発生を防止して高品質のカラーのトナー画像を形成する像担持体を具備する画像形成装置を提供することが出来るようになった。
【図面の簡単な説明】
【図１】本発明の実施の形態例を示す像担持体を説明する斜視図である。
【図２】本発明の実施の形態例を示す像担持体の主要部を説明する拡大断面図である。
【図３】本発明の実施の形態例を示す像担持体を具備する画像形成装置を説明する説明図である。
【図４】本発明の実施の形態例を示す像担持体を具備する画像形成装置の主要部を説明する拡大断面図である。
【図５】従来の画像形成装置を説明する説明図である。
【図６】従来の像担持体を説明する斜視図である。
【図７】従来の像担持体の主要部の状態を説明する斜視図である。
【符号の説明】
０　像担持体、０ａ　感光体ベルト、０ｂ　中間転写ベルト
１　基体
２　像担持面
３　形状記憶部材
４　寄り止め部材
５　補強部材、５ａ　両面接着テープ、５ｂ　接着剤
６　曲がり癖形状部
１０　画像形成装置
１１　張架ローラ、１１ａ　駆動ローラ、１１ａ１　感光体ベルト駆動ローラ、１１ａ２　中間転写ベルト駆動ローラ、１１ｂ　従動ローラ、１１ｂ１　感光体ベルト従動ローラ、１１ｂ２１　中間転写ベルト従動ローラ、１１ｂ２２　中間転写ベルト従動ローラ、１１ｃ　加圧ローラ、１１ｃ１　感光体ベルト加圧ローラ、１１ｃ２　中間転写ベルト加圧ローラ、１１ｄ　加熱体、１１ｄ１　駆動ローラ加熱体、１１ｄ１１　感光体駆動ローラ加熱体、１１ｄ１２　中間転写体駆動ローラ加熱体、１１ｄ２　従動ローラ加熱体、１１ｄ２１　感光体従動ローラ加熱体、１１ｄ２２　中間転写体従動ローラ加熱体、１１ｄ３　加圧ローラ加熱体、１１ｄ３１　感光体加圧ローラ加熱体、１１ｄ３２　中間転写体加圧ローラ加熱体、１１ｅ　規制部材
１２　トナー画像形成手段、１２ａ　帯電器、１２ｂ　光書き込みユニット、１２ｃ　現像装置、１２ｃ１　ブラック現像器、１２ｃ２　シアン現像器、１２ｃ３　マゼンタ現像器、１２ｃ４　イエロー現像器、１２ｄ　感光体クリーニング装置
１３　転写手段、１３ａ　バイアスローラ、１３ｂ　２次バイアスローラ
１４　クリーニング手段
１５　給紙カセット
１６　給紙ローラ
１７　搬送ローラ対
１８　搬送ローラ対
１９　定着器
２０　排紙部
１００　像担持体　１００ａ　感光体ドラム、１００ｂ　中間転写ベルト
１０１　基体
１０２　像担持面
１０４　ガイド部材
１０５　接着剤
１０６　曲がり癖形状部
１１０　画像形成装置
１１１　張架ローラ、１１１ａ　駆動ローラ、１１１ｂ　従動ローラ、１１１ｃ　加圧ローラ
１１２　トナー画像形成手段、１１２ａ　帯電ローラ、１１２ｂ　露光機構部、１１２ｃ　現像装置、１１２ｃ１　ブラック現像器、１１２ｃ２　シアン現像器、１１２ｃ３　マゼンタ現像器、１１２ｃ４　イエロー現像器、１１２ｄ　感光体クリーニング装置
１１３　転写手段、１１３ａ　バイアスローラ
１１４　中間転者ベルトクリーニング装置
【図１】
2004045855.tif 000003
【図２】
2004045855.tif 000004
【図３】
2004045855.tif 000005
【図４】
2004045855.tif 000006
【図５】
2004045855.tif 000007
【図６】
2004045855.tif 000008
【図７】
2004045855.tif 000009